(57)【要約】【課題】加入者を特定するための識別番号が同一である複数の端末による同時通信が行えること。【解決手段】他の端末ｂ（１３０）と同一の加入者を特定するための識別番号を有する端末ａ（１３０）は、基地局１００から受信したページング信号に他の端末ｂの情報が含まれる場合、他の端末ｂの情報に基づいて、基地局１００との間で他の端末ｂと同一物理チャネルを用いた同時通信の接続を開始し、基地局１００との間の通信確立により、他の端末ｂと同一物理チャネルで、かつ、異なる論理チャネルを用いた同時通信を行う。【選択図】図２Ｂ
2018078455.tif 000002
【特許請求の範囲】
【請求項１】
他の端末と同一の加入者を特定するための識別番号を有する端末において、
基地局から受信したページング信号に前記他の端末の情報が含まれる場合、前記他の端末の情報に基づいて、前記基地局との間で前記他の端末と同一物理チャネルを用いた同時通信の接続を開始し、
前記基地局との間の通信確立により、前記他の端末と同一物理チャネルで、かつ、異なる論理チャネルを用いた同時通信を行う制御部を備えたことを特徴とする端末。
【請求項２】
前記制御部は、前記ページング信号が自端末への着信であるか、あるいは前記他の端末の情報を含むかを判断し、
前記他の端末の情報を含む場合、前記他の端末の情報に基づいて、同時通信の接続を開始し、
自端末への着信である場合、着信制御を行うことを特徴とする請求項１に記載の端末。
【請求項３】
前記他の端末の情報は、前記基地局が前記他の端末と通信接続した際の前記他の端末の識別情報と、前記他の端末に割り当てる通信の割り当て情報とを含み、
前記制御部は、前記他の端末の情報に基づき、前記他の端末と同一物理チャネルによる同時通信の接続開始を前記基地局に要求する、ことを特徴とする請求項２に記載の端末。
【請求項４】
端末との間で無線通信を行う基地局において、
同一の加入者を特定するための識別番号を有する複数の端末との通信について、
第１端末との通信接続時の情報を、ページング信号に含ませて第２端末に送信し、前記第２端末からの接続要求により、前記第１端末と前記第２端末とを、同一物理チャネルで、かつ、異なる論理チャネルを用いた同時通信の制御を行う制御部を備えたことを特徴とする基地局。
【請求項５】
前記制御部は、前記ページング信号に、前記第２端末への着信、あるいは同時通信可能な前記第１端末の情報を含み前記第２端末に送信することを特徴とする請求項４に記載の基地局。
【請求項６】
前記制御部は、前記ページング信号に、同時通信可能な前記第１端末の情報を含む場合、その旨の識別情報を付与することを特徴とする請求項５に記載の基地局。
【請求項７】
前記制御部は、コアネットワーク系装置との間で、前記複数の端末ごとに異なる論理チャネルを用いた通信を行うことを特徴とする請求項４〜６のいずれか一つに記載の基地局。
【請求項８】
前記制御部は、前記端末からの通信接続の要求時に、同一の加入者を特定するための識別番号を有する端末以外の他の端末を異なる物理チャネルで新規接続する、ことを特徴とする請求項４〜７のいずれか一つに記載の基地局。
【請求項９】
他の端末と同一の加入者を特定するための識別番号を有する複数の端末と、基地局と、を含む通信制御システムにおいて、
前記端末のうち所定の端末は、
前記基地局から受信したページング信号に前記他の端末の情報を含む場合、前記他の端末の情報に基づいて、前記基地局との間で前記他の端末と同一物理チャネルを用いた同時通信の接続を開始し、
前記基地局との間の通信確立により、前記他の端末と同一物理チャネルで、かつ、異なる論理チャネルを用いた同時通信を行う制御部を備え、
前記基地局は、
前記他の端末との通信接続時の情報を、ページング信号に含ませて前記端末に送信し、前記端末からの接続要求により、前記端末と前記他の端末とを、同一物理チャネルで、かつ、異なる論理チャネルを用いた同時通信の制御を行う制御部を備えた、
ことを特徴とする通信制御システム。
【請求項１０】
さらに、前記基地局に通信接続されるコアネットワーク系装置を含み、
前記コアネットワーク系装置は、他の端末と同一の加入者を特定するための識別番号を有する複数の前記端末に対し同一の端末の識別子を送信し、
前記基地局と前記複数の端末との同時通信時には、前記基地局と前記コアネットワーク系装置との間は、前記端末毎に異なる論理チャネルを用いて通信を行うことを特徴とする請求項９に記載の通信制御システム。
【請求項１１】
他の端末と同一の加入者を特定するための識別番号を有する複数の端末と、基地局と、の間の同時通信を行う通信制御方法であって、
複数の前記端末のうち所定の端末は、
前記基地局から受信したページング信号に前記他の端末の情報を含む場合、前記他の端末の情報に基づいて、前記基地局との間で前記他の端末と同一物理チャネルを用いた同時通信の接続を開始し、
前記基地局との間の通信確立により、前記他の端末と同一物理チャネルで、かつ、異なる論理チャネルを用いた同時通信を行い、
前記基地局は、
前記他の端末との通信接続時の情報を、ページング信号に含ませて前記端末に送信し、前記端末からの接続要求により、前記端末と前記他の端末とを、同一物理チャネルで、かつ、異なる論理チャネルを用いた同時通信の制御を行う、
ことを特徴とする通信制御方法。
【発明の詳細な説明】
【技術分野】
【０００１】
本発明は、相互に無線通信を行う端末と基地局、およびこれらを含む通信制御システムおよび通信制御方法に関する。
【背景技術】
【０００２】
無線通信技術では、例えば、ＬＴＥ（Ｌｏｎｇ  Ｔｅｒｍ  Ｅｖｏｌｕｔｉｏｎ）システムや次世代移動通信システムとしてＬＴＥ−Ａｄｖａｎｃｅｄが検討されている。これらのシステムでは、コアネットワーク系装置としてＭＭＥ、およびＳ−ＧＷが存在し、無線端末（以下端末と記載）の制御は無線基地局（ｅＮＢ、以下基地局と記載）が実施する。通常発信時には、基地局のセル内に存在する端末が基地局に呼接続要求を行い、基地局がＭＭＥ／Ｓ−ＧＷおよび着信ＵＥ側の基地局のリソース・パスを確保して通信が行われる。
【０００３】
従来、無線回線チャネルの共用について、基地局が複数の端末に対し時間的に重複するように通信スロットを割り当てる方法が提案されている（例えば、下記特許文献１参照。）。また、複数のＳＩＭの端末が同じＶＡＭＯＳチャネルに割り当てる技術が提案されている（例えば、下記特許文献２参照。）。
【０００４】
上記ＭＭＥはＭｏｂｉｌｉｔｙ  Ｍａｎａｇｅｍｅｎｔ  Ｅｎｔｉｔｙ、Ｓ−ＧＷはＳｅｒｖｉｎｇ  Ｇａｔｅｗａｙ、ｅＮＢはＥ−ＵＴＲＡＮ  ＮｏｄｅＢの略称である。また、ＳＩＭはＳｕｂｓｃｒｉｂｅｒ  Ｉｄｅｎｔｉｔｙ  Ｍｏｄｕｌｅ、ＶＡＭＯＳはＶｏｉｃｅ  ｓｅｒｖｉｃｅｓ  ｏｖｅｒ  Ａｄａｐｔｉｖｅ  Ｍｕｌｔｉｕｓｅｒ  ｃｈａｎｎｅｌｓ  ｏｎ  Ｏｎｅ  Ｓｌｏｔの略称である。
【先行技術文献】
【特許文献】
【０００５】
【特許文献１】特開２００７−１５８４６９号公報
【特許文献２】特表２０１６−５２２６３３号公報
【発明の概要】
【発明が解決しようとする課題】
【０００６】
従来技術では、例えば、ユーザが複数の端末（例えば、フィーチャーフォンとスマートフォンの２台持ち）を所有している場合、端末毎にキャリア（通信事業者）と契約する必要が生じるとともに、費用がかかる。ここで、加入者を識別する識別子であるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｙ）が同一である別個の（異なる）ＳＩＭ（カード）が存在する。この同一の識別子を有する異なるＳＩＭ（カード）を複数の端末に装着（搭載）した場合、いずれか１台の端末のみ使用できるよう通信制限されている。これら別個のＳＩＭ内には、同一のＩＭＳＩと暗号キーがＳＩＭ情報として格納されている。そして、従来は、同一ＳＩＭの一方を搭載した一方の端末が通信中の場合、同一ＳＩＭの他方を搭載した他方の端末の通信は切断され、同一ユーザによる同時通信は行えなかった。
【０００７】
このような制約において、音声通話とデータ通信を別々の端末、例えば、スマートフォンと、フィーチャーフォンに識別子が同一な別個のＳＩＭ（カード）をそれぞれ搭載し、これらスマートフォンとフィーチャーフォンとを機能分けして同時使用する正規ユーザへの対応が要望されている。
【０００８】
一つの側面では、本発明は、加入者を特定するための識別番号が同一である複数の端末による同時通信が行えることを目的とする。
【課題を解決するための手段】
【０００９】
一つの案では、端末は、他の端末と同一の加入者を特定するための識別番号を有する端末において、基地局から受信したページング信号に前記他の端末の情報が含まれる場合、前記他の端末の情報に基づいて、前記基地局との間で前記他の端末と同一物理チャネルを用いた同時通信の接続を開始し、前記基地局との間の通信確立により、前記他の端末と同一物理チャネルで、かつ、異なる論理チャネルを用いた同時通信を行う制御部を備えたことを要件とする。
【発明の効果】
【００１０】
一つの実施形態によれば、加入者を特定するための識別番号が同一である複数の端末による同時通信が行えるという効果を有する。
【図面の簡単な説明】
【００１１】
【図１】図１は、実施の形態の基地局と複数の端末との同時通信を説明する図である。
【図２Ａ】図２Ａは、物理チャネルおよび論理チャネルの接続構成例を説明する図である。（その１）
【図２Ｂ】図２Ｂは、物理チャネルおよび論理チャネルの接続構成例を説明する図である。（その２）
【図３】図３は、実施の形態の端末の機能構成例を示す図である。
【図４】図４は、実施の形態の基地局の機能構成例を示す図である。
【図５】図５は、実施の形態の複数端末による同時通信の通信制御例を示すタイミングチャートである。（その１）
【図６Ａ】図６Ａは、実施の形態の複数端末による同時通信の通信制御例を示すタイミングチャートである。（その２）
【図６Ｂ】図６Ｂは、実施の形態の複数端末による同時通信の通信制御例を示すタイミングチャートである。（その３）
【図７】図７は、実施の形態の基地局が行う複数の端末との同時通信の通信制御を示すフローチャートである。
【図８】図８は、実施の形態の端末が行う基地局との同時通信の通信制御を示すフローチャートである。
【図９】図９は、実施の形態のＣＮ系装置の通信制御を示すフローチャートである。
【発明を実施するための形態】
【００１２】
（実施の形態）
図１は、実施の形態の基地局と複数の端末との同時通信を説明する図である。システムは、互いに無線通信を行う基地局１００と、複数の端末１３０と、コアネットワーク（ＣＮ）系装置（図示の例ではＭＭＥ１５０）と、を含む。
【００１３】
基地局と複数の端末との同時通信の手順を以下に説明する。実施の形態では、複数の端末ａ，ｂ（１３０）が同じＳＩＭ情報を有する同一ＳＩＭを搭載している状態であるとする。実施の形態は、同一ＳＩＭが搭載された複数の端末１３０の同時通信を行うものである。以下、同一ＳＩＭとは、加入者を特定するための識別子（ＩＭＳＩ）がいずれも同一である別個のＳＩＭ（カード）を指し、同一端末とは同一ＳＩＭが搭載された端末を指す。
【００１４】
（１）はじめに、図１の（ａ）に示すように、基地局１００のセルＣ内に、同一ＳＩＭすなわ、加入者を特定するための識別子（ＩＭＳＩ）が同一である別個のＳＩＭをそれぞれ搭載した複数の端末ａ，ｂ（１３０）が位置した状態であるとする。ＳＩＭにはさらに暗号キーが格納されいる。
【００１５】
そして、基地局１００は、端末ｂ（第１端末）１３０との通信開始時、第１端末ｂ（１３０）の端末情報を端末ａ（第２端末）１３０へ送信する。より具体的には、基地局１００は、第１端末ｂ（１３０）とのＲＲＣ  Ｃｏｎｎｅｃｔｉｏｎ確立時の第１端末ｂ（１３０）の識別情報（ＵＥ−ＩＤ）と、第１端末ｂ（１３０）に割り当てる通信の割り当て情報（ｕ−ＲＮＴＩ）をページング（Ｐａｇｉｎｇ）信号で第２端末ａ（１３０）へ送信する。ＲＲＣはＲａｄｉｏ  Ｒｅｓｏｕｒｃｅ  Ｃｏｎｔｒｏｌ、ｕ−ＲＮＴＩはＵＴＲＡＮ  Ｒａｄｉｏ  Ｎｅｔｗｏｒｋ  Ｔｅｍｐｏｒａｒｙ  Ｉｄｅｎｔｉｆｉｅｒの略称である。
【００１６】
（２）上記（１）の際に、基地局１００は、通常の着信用のページングではなく、近傍の第２端末ａ（１３０）に対し、第１端末ｂ（１３０）の情報を通知するためのページングであることを示す識別情報を付与する。
【００１７】
（３）第２端末ａ（１３０）は、基地局１００から受信したページング信号より、通常の着信用のページングであるか、あるいは、同一ＳＩＭの第１端末ｂ（１３０）からの同時通信用情報としてのページングであるかを判断する。同時通信用情報は、同一ＳＩＭによる端末ａ，ｂ（１３０）がいずれも基地局１００との間で同時に通信するための情報である。そして、同時通信用情報であれば、第２端末ａ（１３０）は、第１端末ｂ（１３０）のＵＥ−ＩＤとｕ−ＲＮＴＩを取得し、保持する。
【００１８】
（４）次に、図１の（ｂ）に示すように、第１端末ｂ（１３０）が通信中状態において、第２端末ａ（１３０）が通信を開始したい場合、第２端末ａ（１３０）は、上記の（３）にて取得した第１端末ｂ（１３０）の同時通信情報を使用して、基地局１００と通信開始を要求する。具体的には、第２端末ａ（１３０）は、同一物理チャネル（ＣＨ）での同時通信の接続開始を基地局１００に要求する。
【００１９】
（５）この後、基地局１００は、同一ＳＩＭの第２端末ａ（１３０）の回線追加と判断し、第１端末ｂ（１３０）と第２端末ａ（１３０）とを同一の物理ＣＨで、かつ、異なる別の論理ＣＨでの接続処理を行う。
【００２０】
（６）そして、第１端末ｂ（１３０）と第２端末ａ（１３０）と基地局１００との間は、同一物理ＣＨで異なる論理ＣＨのコネクションで接続される。基地局１００とＣＮ（ＭＭＥ）１５０との間は、それぞれの論理ＣＨ毎のＲＡＢ（Ｒａｄｉｏ  Ａｃｃｅｓｓ  Ｂｅａｒｅｒ）で接続される。
【００２１】
上記の同時接続の構成例では、端末１３０の数を２台としたが、これに限らず、基地局１００が端末１台に設定可能な論理ＣＨ数分、複数の端末１３０（端末１台あたりＤＣＣＨ×１本／ＤＴＣＨ×１本）に接続することができる。
【００２２】
図２Ａ，図２Ｂは、それぞれ物理チャネルおよび論理チャネルの接続構成例を説明する図である。まず、図２Ａには、１台の端末ａ（１３０）を基地局１００に接続する通常接続時（既存技術）の物理ＣＨおよび論理ＣＨの構成例を示している。
【００２３】
例えば、図２Ａの（ａ）に示す音声通話の場合には、１台の端末ａ（１３０）と基地局１００との間は、例えば、同一の物理ＣＨで２つの論理ＣＨ（ＤＣＣＨとＤＴＣＨ）で接続される。ＤＣＣＨは、Ｄｅｄｉｃａｔｅ  Ｃｏｎｔｒｏｌ  ＣＨａｎｎｅｌの略称である。ＤＴＣＨは、Ｄｅｄｉｃａｔｅｄ  Ｔｒａｆｆｉｃ  ＣＨａｎｎｅｌの略称であり、ユーザデータ（パケットデータ、音声、画像など）の伝送に用いられる。
【００２４】
基地局１００とＣＮ系装置１５０との間は、論理ＣＨのＤＣＣＨがＭＭＥに接続され、論理ＣＨのＤＴＣＨがＳ−ＧＷに接続される。
【００２５】
また、図２Ａの（ｂ）に示すマルチコールの場合には、端末ａ（１３０）と基地局１００との間は、例えば、同一の物理ＣＨで３つの論理ＣＨ（ＤＣＣＨとＤＴＣＨ）で接続される。この例では、ＤＣＣＨを制御用に１本用い、ＤＴＣＨをパケット用と音声用にそれぞれ１本用いている。
【００２６】
基地局１００とＣＮ系装置１５０との間は、論理ＣＨのＤＣＣＨがＭＭＥに接続され、論理ＣＨの２本のＤＴＣＨがＳ−ＧＷに接続される。
【００２７】
次に、図２Ｂには、２台の端末ａ，ｂ（１３０）を基地局１００に接続する実施の形態の多数の端末接続時の物理ＣＨおよび論理ＣＨの構成例を示している。実施の形態においては、例えば、図２Ｂに示すように、２台の端末ａ，ｂ（１３０）と基地局１００との間は、例えば、同一の物理ＣＨで４つの論理ＣＨ（ＤＣＣＨとＤＴＣＨ）で接続される。
【００２８】
ここで、ユーザが端末ａ（１３０）をパケット用とし、端末ｂ（１３０）を音声用として使用するとする。また、１端末あたりＤＣＣＨが１本、ＤＴＣＨが１本必要な条件を有する。この場合、端末ａ（１３０）は、ＤＣＣＨを制御用に１本用い、ＤＴＣＨをパケット用に１本用いる。また、端末ｂ（１３０）は、ＤＣＣＨを制御用に１本用い、ＤＴＣＨを音声用に１本用いる。このように、ユーザの複数の端末ａ，ｂ（１３０）の通信を端末ごとに異なる論理チャネルを用い１本の物理チャネルにまとめることで、リソースを有効に利用することができる。
【００２９】
なお、基地局１００とＣＮ系装置１５０との間は、端末ａ，ｂ（１３０）の論理ＣＨの２本のＤＣＣＨがＭＭＥに接続され、端末ａ，ｂ（１３０）の論理ＣＨの２本のＤＴＣＨがＳ−ＧＷに接続される。
【００３０】
図３は、実施の形態の端末の機能構成例を示す図である。端末１３０は、制御部３０１と、ベースバンド（ＢＢ）信号処理部３０２と、送受信（ＴＲＸ）処理部３０３と、増幅部（ＡＭＰ）３０４と、アンテナ３０５と、表示部３０６と、を含む。端末（ＵＥ）１３０と基地局（ｅＮＢ）１００は、無線信号を介してデータ通信を行う。
【００３１】
制御部３０１は、端末１３０の各機能部を統括制御するとともに、また、ベースバンド信号処理部３０２を介して基地局１００に送受信するデータ処理を行う。ベースバンド信号処理部３０２は、基地局１００との間で送受信する信号（データ）のベースバンド信号処理を行う。送受信処理部３０３は、基地局１００との間で所定の無線周波数帯域を用いて信号の無線送受信を行う。増幅部３０４は、無線送受信する信号を増幅し、アンテナ３０５を介して所定の無線周波数帯域で無線電波を送受信する。表示部３０６は、制御部３０１により制御されたデータを表示する。このほか、端末１３０は、操作部を有しユーザによる各種操作を行うことができる。
【００３２】
端末１３０は、例えば、スマートフォンやフィーチャーフォン等、搭載されたＳＩＭを用いて基地局１００との間で無線通信を行う。そして、実施の形態では、制御部３０１およびベースバンド信号処理部３０２は、上述した同一ＳＩＭが装着された自他の複数の端末１３０による基地局１００との同時通信にかかる処理を行う。
【００３３】
図４は、実施の形態の基地局の機能構成例を示す図である。基地局１００は、制御部４０１と、無線送受信部４０２と、無線送受信インタフェース部４０３と、ベースバンド信号処理部４０４と、伝送路信号切替部４０５と、伝送路インタフェース部４０６と、を含む。
【００３４】
無線送受信部４０２は、端末１３０との間で所定の無線周波数帯域を用いて信号の無線送受信を行う。無線送受信インタフェース部４０３は、無線送受信部４０２とベースバンド信号処理部４０４との間を接続する。ベースバンド信号処理部４０４は、端末１３０との間で送受信する信号（データ）のベースバンド信号処理を行う。
【００３５】
伝送路信号切替部４０５は、ベースバンド信号処理部４０４と伝送路インタフェース部４０６との間に設けられ、端末１３０側の信号（データ）を送受信するＣＮ系装置１５０の方路（伝送路）を切り替える。伝送路インタフェース部４０６は、基地局１００をＣＮ系装置１５０の網側信号に接続するインタフェースである。無線送受信部４０２〜伝送路インタフェース部４０６の構成は、汎用の基地局１００に相当する。
【００３６】
制御部４０１は、基地局１００に設けられる上記無線送受信部４０２〜伝送路インタフェース部４０６の各機能部を統括制御するとともに、ベースバンド信号処理部４０４を介して端末１３０に送受信するデータ処理を行う。
【００３７】
実施の形態の基地局１００は、制御部４０１内に複数の端末１３０との同時通信を行うための機能として、同時通信制御部４１１と、データ管理部４１２と、を含む。データ管理部４１２には、同時通信する複数の端末１３０の情報が格納される。この情報は、例えば、基地局１００のセルＣ内に位置する端末１３０の識別子（Ｉｎｉｔｉａｌ  ＵＥ  ＩＤ（ＴＭＳＩ））と、端末１３０に割り当てる情報（ＲＮＴＩ）等を含む。ＴＭＳＩは、端末１３０のＩＤであり、Ｔｅｍｐｏｒａｒｙ  Ｍｏｂｉｌｅ  Ｓｕｂｓｃｒｉｂｅｒ  Ｉｄｅｎｔｉｔｙの略称である。
【００３８】
同時通信制御部４１１は、データ管理部４１２に格納された複数の端末１３０の情報を参照して、セルＣ内に位置する同時通信可能な端末１３０に対する同時通信にかかる通信接続の処理を行う。
【００３９】
上述した端末１３０の制御部３０１およびベースバンド信号処理部３０２は、ＣＰＵ等のプロセッサ、ＤＳＰ、ＦＰＧＡ等のいずれか、あるいはこれらを組み合わせて実現できる。ＣＰＵはＣｅｎｔｒａｌ  Ｐｒｏｃｅｓｓｉｎｇ  Ｕｎｉｔ、ＤＳＰはＤｉｇｉｔａｌ  Ｓｉｇｎａｌ  Ｐｒｏｃｅｓｓｏｒ、ＦＰＧＡはＦｉｅｌｄ−Ｐｒｏｇｒａｍｍａｂｌｅ  Ｇａｔｅ  Ａｒｒａｙの略称である。例えば、ＣＰＵがメモリに格納された制御プログラムを実行し、その際メモリの一部を作業領域に用いることで、制御部３０１およびベースバンド信号処理部３０２の機能を実現することができる。
【００４０】
同様に、上述した基地局１００の制御部４０１およびベースバンド信号処理部４０４は、ＤＳＰ、ＦＰＧＡ、ＣＰＵ等のプロセッサのいずれかあるいはこれらを組み合わせて実現することができる。例えば、ＣＰＵがメモリに格納された制御プログラムを実行し、その際メモリの一部を作業領域に用いることで、制御部４０１およびベースバンド信号処理部４０４の機能を実現することができる。
【００４１】
また、上述したＣＮ系装置１５０であるＭＭＥやＳ−ＧＷ等も、ネットワークインタフェースと、制御部等を有する。制御部は、例えば、ＣＰＵを用いて実現でき、ＣＰＵがメモリに格納された制御プログラムを実行し、その際メモリの一部を作業領域に用いることで、ＣＮ系装置１５０の機能を実現することができる。
【００４２】
（同時通信端末数が２の場合）
図５は、実施の形態の複数端末による同時通信の通信制御例を示すタイミングチャートである。図１に示した基地局１００と、複数（端末ａ，ｂの２台）の端末１３０と、コアネットワーク（ＣＮ）系装置１５０の各処理例を示す。
【００４３】
はじめに、ＣＮ系装置１５０は、アタッチ動作時に、同時通信する同一ＳＩＭが搭載された複数の端末（同一のＳＩＭ）に対し、所定の識別子（Ｉｎｉｔｉａｌ  ＵＥ  ＩＤ）を有する同一のＴＭＳＩを払い出す（ステップＳ５０１）。
【００４４】
そして、通信開始する端末ｂ（１３０）は、自端末のＩｎｉｔｉａｌ  ＵＥ  ＩＤをＲＲＣ  Ｃｏｎｎｅｃｔｉｏｎ  Ｒｅｑｕｅｓｔで基地局１００に送信する（ステップＳ５０２）。これに対し、基地局１００は、Ｉｎｉｔｉａｌ  ＵＥ  ＩＤに対応するＲＮＴＩをＲＲＣ  Ｃｏｎｎｅｃｔｉｏｎ  Ｓｅｔｕｐで端末ｂ（１３０）に通知する（ステップＳ５０３）。そして、基地局１００は、端末ｂ（１３０）に割り当てるＲＮＴＩをＲＲＣ  Ｃｏｎｎｅｃｔｉｏｎ  Ｓｅｔｕｐ  Ｃｏｍｐｌｅｔｅでこの端末ｂ（１３０）に通知する（ステップＳ５０４）。これにより、端末ｂ（１３０）は、物理ＣＨ＝ａ、論理ＣＨ＝ｘを確立し、基地局１００と通信を行う。
【００４５】
また、基地局１００は、ＣＮ系装置１５０に対しＲＡＢ確立要求を送信し（ステップＳ５０５）、ＣＮ系装置１５０は、基地局１００にＲＡＢ確立完了として、基地局１００との間の通信に使用する所定の論理ＣＨ＝ｚを通知する（ステップＳ５０６）。
【００４６】
これにより、基地局１００は、同一ＳＩＭが搭載された端末ａ（１３０）に対し、端末ｂ（１３０）へ送信したＲＮＴＩを取得する（ステップＳ５０７）。例えば、基地局１００は、ステップＳ５０４で端末ｂ（１３０）に送信したＲＮＴＩをメモリに保持しておいたものを読み出す。
【００４７】
そして、基地局１００は、同時通信する端末ａ（１３０）へ向けてページングを送信する。この際のページングは、着信用のページングではなく、端末ｂ（１３０）と同時通信するための同時通信用情報を示すページングを送信する。具体的には、基地局１００は、ページングのパラメータに端末ａ（１３０）のＵＥ  ＩＤ（ＴＭＳＩ）と、同時通信用情報を通知する旨の識別子を設定してこの端末ａ（１３０）にページングを送信する（ステップＳ５０８）。
【００４８】
そして、端末ａ（１３０）は、自端末のＵＥ  ＩＤのページングであるか判断し（ステップＳ５０９）、自端末のＵＥ  ＩＤのページングでなければ（ステップＳ５０９：Ｎｏ）、このページングを破棄し（ステップＳ５１０）、処理を終了する。一方、端末ａ（１３０）は、自端末のＵＥ  ＩＤのページングであれば（ステップＳ５０９：Ｙｅｓ）、ステップＳ５１１に移行する。
【００４９】
ステップＳ５１１では、端末ａ（１３０）は、同時通信用情報のページングであるかを判断する（ステップＳ５１１）。このページングが同時通信用情報でなければ（ステップＳ５１１：Ｎｏ）、着信用のページングであるとし着信の処理に移行する（ステップＳ５１２）。
【００５０】
一方、このページングが同時通信用情報の場合には（ステップＳ５１１：Ｙｅｓ）、端末ａ（１３０）は、ページングにより端末ｂ（１３０）が通信開始したＲＮＴＩを取得し、メモリ等に保持する（ステップＳ５１３）。次に、端末ａ（１３０）は、端末ｂ（１３０）の情報（ＲＮＴＩ等）を元にコネクションを追加し（ステップＳ５１４）、Ｒａｄｉｏ  Ｂｅａｒｅｒ追加を基地局１００に通知する（ステップＳ５１５）。
【００５１】
次に、基地局１００は、端末ａ（１３０）からのＲａｄｉｏ  Ｂｅａｒｅｒ追加の通知が同一端末（端末ｂと同一ＳＩＭ）の接続要求であるか判断する（ステップＳ５１６）。同一端末の接続要求でなければ（ステップＳ５１６：Ｎｏ）、新規接続であるとし、端末ａ（１３０）用の新規の物理ＣＨを確立する処理に移行する（ステップＳ５１７）。
【００５２】
一方、同一端末の接続要求であれば（ステップＳ５１６：Ｙｅｓ）、端末ａ（１３０）に対しＲａｄｉｏ  Ｂｅａｒｅｒ確立完了を通知する（ステップＳ５１８）。これにより、端末ａ（１３０）は、物理ＣＨ＝ａ、論理ＣＨ＝ｙを確立する。すなわち、図２Ｂに示したように、同一物理ＣＨに異なる論理ＣＨ（ＤＣＣＨ）にて端末ａ，ｂ（１３０）の同時通信を確立する。
【００５３】
この後、基地局１００は、ＣＮ系装置１５０に対し、ＲＡＢ確立要求を送信し（ステップＳ５１９）、ＣＮ系装置１５０は、基地局１００に対し、ＲＡＢ確立完了を通知する（ステップＳ５２０）。この際、基地局１００との間の通信に使用する所定の論理ＣＨ＝ｚ’を通知する。これにより、複数の端末ａ，ｂ（１３０）による同時通信に対応して、基地局１００とＣＮ系装置１５０との間では、論理ＣＨ＝ｚ、ｚ’を用いた通信を行う（図２Ｂ参照）。
【００５４】
（同時通信端末数が３の場合）
図６Ａ，図６Ｂは、実施の形態の複数端末による同時通信の通信制御例を示すタイミングチャートである。図６Ａ，図６Ｂを用いた説明では、基地局１００と、複数（端末ａ，ｂ，ｃの３台）の端末１３０と、コアネットワーク（ＣＮ）系装置１５０の各処理例を示す。図中の符号において端末ａに関する処理には添字ａ、端末ｃに関する処理には添字ｃを付してある。
【００５５】
はじめに、ＣＮ系装置１５０は、アタッチ動作時に、同時通信する同一ＳＩＭが搭載された複数の端末（同一のＳＩＭ）に対し、所定の識別子（Ｉｎｉｔｉａｌ  ＵＥ  ＩＤ）を有する同一のＴＭＳＩを払い出す（ステップＳ５０１）。
【００５６】
そして、通信開始する端末ｂ（１３０）は、自端末のＩｎｉｔｉａｌ  ＵＥ  ＩＤをＲＲＣ  Ｃｏｎｎｅｃｔｉｏｎ  Ｒｅｑｕｅｓｔで基地局１００に送信する（ステップＳ５０２）。これに対し、基地局１００は、Ｉｎｉｔｉａｌ  ＵＥ  ＩＤに対応するＲＮＴＩをＲＲＣ  Ｃｏｎｎｅｃｔｉｏｎ  Ｓｅｔｕｐで端末ｂ（１３０）に通知する（ステップＳ５０３）。そして、基地局１００は、端末ｂ（１３０）に割り当てるＲＮＴＩをＲＲＣ  Ｃｏｎｎｅｃｔｉｏｎ  Ｓｅｔｕｐ  Ｃｏｍｐｌｅｔｅでこの端末ｂ（１３０）に通知する（ステップＳ５０４）。
【００５７】
また、基地局１００は、ＣＮ系装置１５０に対しＲＡＢ確立要求を送信し（ステップＳ５０５）、ＣＮ系装置１５０は、基地局１００との間の通信に使用する所定の論理ＣＨ＝ｚを通知する（ステップＳ５０６）。
【００５８】
これにより、基地局１００は、同一ＳＩＭが搭載された端末ａ（１３０）に対し、端末ｂ（１３０）へ送信したＲＮＴＩを取得する（ステップＳ５０７）。例えば、基地局１００は、ステップＳ５０４で端末ｂ（１３０）に送信したＲＮＴＩをメモリに保持しておいたものを読み出す。
【００５９】
そして、基地局１００は、同時通信する端末ａ，ｃ（１３０）へ向けてページングを送信する。この際のページングは、着信用のページングではなく、端末ｂ（１３０）と同時通信するための同時通信用情報としてのページングを送信する。具体的には、基地局１００は、ページングのパラメータに端末ａ（１３０）のＵＥ  ＩＤ（ＴＭＳＩ）と、同時通信用情報を通知する旨の識別子を設定して端末ａ（１３０）にページングを送信する（ステップＳ５０８ａ）。同様に、基地局１００は、ページングのパラメータに端末ｃ（１３０）のＵＥ  ＩＤ（ＴＭＳＩ）と、同時通信用情報を通知する旨の識別子を設定して端末ｃ（１３０）にページングを送信する（ステップＳ５０８ｃ）。
【００６０】
そして、端末ａ（１３０）は、自端末のＵＥ  ＩＤのページングであるか判断し（ステップＳ５０９ａ）、自端末のＵＥ  ＩＤのページングでなければ（ステップＳ５０９ａ：Ｎｏ）、このページングを破棄し（ステップＳ５１０ａ）、処理を終了する。一方、端末ａ（１３０）は、自端末のＵＥ  ＩＤのページングであれば（ステップＳ５０９ａ：Ｙｅｓ）、ステップＳ５１１ａに移行する。
【００６１】
ステップＳ５１１ａでは、端末ａ（１３０）は、同時通信用情報のページングであるかを判断する（ステップＳ５１１ａ）。このページングが同時通信用情報でなければ（ステップＳ５１１ａ：Ｎｏ）、着信用のページングであるとし着信の処理に移行する（ステップＳ５１２ａ）。
【００６２】
一方、このページングが同時通信用情報の場合には（ステップＳ５１１ａ：Ｙｅｓ）、端末ａ（１３０）は、ページングにより端末ｂ（１３０）が通信開始したＲＮＴＩを取得し、メモリ等に保持する（ステップＳ５１３ａ）。次に、端末ａ（１３０）は、端末ｂ（１３０）の情報（ＲＮＴＩ等）を元にコネクションを追加し（ステップＳ５１４ａ）、Ｒａｄｉｏ  Ｂｅａｒｅｒ追加を基地局１００に通知する（ステップＳ５１５ａ）。
【００６３】
次に、基地局１００は、端末ａ（１３０）からのＲａｄｉｏ  Ｂｅａｒｅｒ追加の通知が同一端末（端末ｂと同一ＳＩＭ）の接続要求であるか判断する（ステップＳ５１６ａ）。同一端末の接続要求でなければ（ステップＳ５１６ａ：Ｎｏ）、新規接続であるとし、端末ａ（１３０）用の新規の物理ＣＨを確立する処理に移行する（ステップＳ５１７ａ）。
【００６４】
一方、同一端末の接続要求であれば（ステップＳ５１６ａ：Ｙｅｓ）、端末ａ（１３０）に対しＲａｄｉｏ  Ｂｅａｒｅｒ確立完了を通知する（ステップＳ５１８ａ）。これにより、端末ａ（１３０）は、物理ＣＨ＝ａ、論理ＣＨ＝ｙを確立する。すなわち、図２Ｂに示したように、同一物理ＣＨに異なる論理ＣＨ（ＤＣＣＨ）にて端末ａ，ｂ（１３０）の同時通信を確立する。
【００６５】
この後、基地局１００は、ＣＮ系装置１５０に対し、ＲＡＢ確立要求を送信し（ステップＳ５１９ａ）、ＣＮ系装置１５０は、基地局１００に対し、ＲＡＢ確立完了を通知する（ステップＳ５２０ａ）。この際、基地局１００との間の通信に使用する所定の論理ＣＨ＝ｚ’を通知する。これにより、複数の端末ａ，ｂ（１３０）による同時通信に対応して、基地局１００とＣＮ系装置１５０との間では、論理ＣＨ＝ｚ，ｚ’を用いた通信を行う（図２Ｂ参照）。
【００６６】
この後、端末ｃ（１３０）は、ステップＳ５０８ｃで受信したページングが自端末のＵＥ  ＩＤのページングであるか判断し（ステップＳ５０９ｃ）、自端末のＵＥ  ＩＤのページングでなければ（ステップＳ５０９ａ：Ｎｏ）、このページングを破棄し（ステップＳ５１０ｃ）、処理を終了する。一方、端末ｃ（１３０）は、自端末のＵＥ  ＩＤのページングであれば（ステップＳ５０９ｃ：Ｙｅｓ）、ステップＳ５１１ｃに移行する。
【００６７】
ステップＳ５１１ｃでは、端末ｃ（１３０）は、同時通信用情報のページングであるかを判断する（ステップＳ５１１ｃ）。このページングが同時通信用情報でなければ（ステップＳ５１１ｃ：Ｎｏ）、着信用のページングであるとし着信の処理に移行する（ステップＳ５１２ｃ）。
【００６８】
一方、このページングが同時通信用情報の場合には（ステップＳ５１１ｃ：Ｙｅｓ）、端末ｃ（１３０）は、ページングにより端末ｂ（１３０）が通信開始したＲＮＴＩを取得し、メモリ等に保持する（ステップＳ５１３ｃ）。次に、端末ｃ（１３０）は、端末ｂ（１３０）の情報（ＲＮＴＩ等）を元にコネクションを追加し（ステップＳ５１４ｃ）、Ｒａｄｉｏ  Ｂｅａｒｅｒ追加を基地局１００に通知する（ステップＳ５１５ｃ）。
【００６９】
次に、基地局１００は、端末ｃ（１３０）からのＲａｄｉｏ  Ｂｅａｒｅｒ追加の通知が同一端末（端末ｂと同一ＳＩＭ）の接続要求であるか判断する（ステップＳ５１６ｃ）。同一端末の接続要求でなければ（ステップＳ５１６ｃ：Ｎｏ）、新規接続であるとし、端末ｃ（１３０）用の新規の物理ＣＨを確立する処理に移行する（ステップＳ５１６ｃ）。
【００７０】
一方、同一端末の接続要求であれば（ステップＳ５１６ｃ：Ｙｅｓ）、端末ｃ（１３０）に対しＲａｄｉｏ  Ｂｅａｒｅｒ確立完了を通知する（ステップＳ５１８ｃ）。これにより、端末ｃ（１３０）は、物理ＣＨ＝ａ、論理ＣＨ＝ｙ’を確立する。すなわち、同一物理ＣＨに異なる論理ＣＨ（ＤＣＣＨ）にて端末ａ，ｂ，ｃ（１３０）の同時通信を確立する。
【００７１】
この後、基地局１００は、ＣＮ系装置１５０に対し、ＲＡＢ確立要求を送信し（ステップＳ５１９ｃ）、ＣＮ系装置１５０は、基地局１００に対し、ＲＡＢ確立完了を通知する（ステップＳ５２０ｃ）。この際、基地局１００との間の通信に使用する所定の論理ＣＨ＝ｚ”を通知する。これにより、複数の端末ａ，ｂ，ｃ（１３０）による同時通信に対応して、基地局１００とＣＮ系装置１５０との間では、論理ＣＨ＝ｚ，ｚ’，ｚ”を用いた通信を行うことができる。
【００７２】
次に、図７〜図９を用いて、基地局１００、端末１３０、ＣＮ系装置１５０それぞれの通信制御例を説明する。これら図７〜図９の説明では、図１に示した同一ＳＩＭを搭載した２台の端末ａ，ｂ（１３０）の同時通信にかかる制御内容、すなわち、図５の全体シーケンスに対応する各装置の制御内容を説明する。なお、上述したように、２台の端末１３０の同時通信後、同一ＳＩＭを搭載した３台目以降の端末１３０であれば同様の処理を繰り返すことで同時通信する端末１３０の台数を増やすことができる。
【００７３】
図７は、実施の形態の基地局が行う複数の端末との同時通信の通信制御を示すフローチャートである。例えば、基地局１００のＣＰＵが以下の処理内容を実行する。
【００７４】
はじめに、基地局１００は、図１に示したはじめに通信開始する端末ｂ（１３０）からＩｎｉｔｉａｌ  ＵＥ  ＩＤをＲＲＣ  Ｃｏｎｎｅｃｔｉｏｎ  Ｒｅｑｕｅｓｔで受信する（ステップＳ７０１）。そして、基地局１００は、Ｉｎｉｔｉａｌ  ＵＥ  ＩＤに対応するＲＮＴＩをＲＲＣ  Ｃｏｎｎｅｃｔｉｏｎ  Ｓｅｔｕｐで端末ｂ（１３０）に送信する（ステップＳ７０２）。そして、基地局１００は、端末ｂ（１３０）に割り当てるＲＮＴＩをＲＲＣ  Ｃｏｎｎｅｃｔｉｏｎ  Ｓｅｔｕｐ  Ｃｏｍｐｌｅｔｅでこの端末ｂ（１３０）に送信する（ステップＳ７０３）。
【００７５】
次に、基地局１００は、ＣＮ系装置１５０に対しＲＡＢ確立要求を送信する（ステップＳ７０４）。そして、ＣＮ系装置１５０から、ＲＡＢ確立完了として、ＣＮ系装置１５０との間の通信に使用する所定の論理ＣＨ＝ｚの通知を受ける（ステップＳ７０５）。
【００７６】
これにより、基地局１００は、同一ＳＩＭが搭載された端末ａ（１３０）に対し、端末ｂ（１３０）へ送信したＲＮＴＩを取得する（ステップＳ７０６）。例えば、基地局１００は、ステップＳ５０４で端末ｂ（１３０）に送信したＲＮＴＩをメモリに保持しておいたものを読み出す。そして、基地局１００は、端末ａ（１３０）に対し端末ｂ（１３０）のＴＭＳＩと同時通信用情報であることを示すページングを送信する（ステップＳ７０７）。
【００７７】
この後、基地局１００は、端末ａ（１３０）からのＲａｄｉｏ  Ｂｅａｒｅｒ追加を待つ（ステップＳ７０８：Ｎｏのループ）。端末ａ（１３０）からＲａｄｉｏ  Ｂｅａｒｅｒ追加を待つ（ステップＳ７０８：Ｎｏ）。そして、端末ａ（１３０）からＲａｄｉｏ  Ｂｅａｒｅｒ追加があれば（ステップＳ７０８：Ｙｅｓ）、同一端末（端末ｂと同一ＳＩＭ）の接続要求であるか判断する（ステップ７０９）。同一端末の接続要求でなければ（ステップＳ７０９：Ｎｏ）、新規接続であるとし、端末ａ（１３０）用の新規の物理ＣＨを確立する処理に移行し（ステップＳ７１０）、以上の処理を終了する。
【００７８】
一方、同一端末の接続要求であれば（ステップＳ７０９：Ｙｅｓ）、端末ａ（１３０）に対しＲａｄｉｏ  Ｂｅａｒｅｒ確立完了を送信する（ステップＳ７１１）。これにより、端末ａ（１３０）は、物理ＣＨ＝ａ、論理ＣＨ＝ｙを確立する。すなわち、図２Ｂに示したように、同一物理ＣＨに異なる論理ＣＨ（ＤＣＣＨ）にて端末ａ，ｂ（１３０）の同時通信を確立する。
【００７９】
この後、基地局１００は、ＣＮ系装置１５０に対し、ＲＡＢ確立要求を送信し（ステップＳ７１２）、ＣＮ系装置１５０からＲＡＢ確立完了を受信し（ステップＳ７１３）、以上の処理を終了する。この際、基地局１００は、ＣＮ系装置１５０との間の通信に使用する所定の論理ＣＨ＝ｚ’の通知を受ける。これにより、複数の端末ａ，ｂ（１３０）による同時通信に対応して、基地局１００とＣＮ系装置１５０との間では、論理ＣＨ＝ｚ、ｚ’を用いた通信を行う（図２Ｂ参照）。
【００８０】
図８は、実施の形態の端末が行う基地局との同時通信の通信制御を示すフローチャートである。図１、図５に示した端末ａ，ｂ（１３０）の制御内容について説明する。例えば、端末１３０のＣＰＵが以下の処理内容を実行する。
【００８１】
はじめに、端末１３０は、ＣＮ系装置１５０から同一ＳＩＭに同一のＴＭＳＩを受信する（ステップＳ８０１）。次に、自端末（例えば図１の端末ｂ）が通信開始であるか判断する（ステップＳ８０２）。自端末の通信開始時には（ステップＳ８０２：Ｙｅｓ）、ステップＳ８０３に移行し、自端末の通信開始ではない場合には（ステップＳ８０２：Ｎｏ）、ステップＳ８０６に移行する。
【００８２】
ステップＳ８０３では、端末１３０は、通信開始時、自端末のＩｎｉｔｉａｌ  ＵＥ  ＩＤをＲＲＣ  Ｃｏｎｎｅｃｔｉｏｎ  Ｒｅｑｕｅｓｔを基地局１００に送信する（ステップＳ８０３）。そして、端末１３０は、基地局１００からＩｎｉｔｉａｌ  ＵＥ  ＩＤに対応するＲＮＴＩをＲＲＣ  Ｃｏｎｎｅｃｔｉｏｎ  Ｓｅｔｕｐにより受信する（ステップＳ８０４）。この後、端末１３０は、基地局１００から自端末に割り当てられるＲＮＴＩをＲＲＣ  Ｃｏｎｎｅｃｔｉｏｎ  Ｓｅｔｕｐ  Ｃｏｍｐｌｅｔｅにより受信する（ステップＳ８０５）。これにより、端末１３０は、物理ＣＨ＝ａ、論理ＣＨ＝ｘを確立し、基地局１００と通信を行う。
【００８３】
一方、ステップＳ８０６では、端末１３０は、基地局１００からのページングを受信したか判断する（ステップＳ８０６）。ページング受信でなければ（ステップＳ８０６：Ｎｏ）、処理を終了する。ページング受信であれば（ステップＳ８０６：Ｙｅｓ）、端末１３０は、自端末のＵＥ  ＩＤのページングであるか判断し（ステップＳ８０７）、自端末のＵＥ  ＩＤのページングでなければ（ステップＳ８０７：Ｎｏ）、このページングを破棄し（ステップＳ８０８）、処理を終了する。一方、端末１３０は、自端末のＵＥ  ＩＤのページングであれば（ステップＳ８０７：Ｙｅｓ）、ステップＳ８０９に移行する。
【００８４】
ステップＳ８０９では、端末１３０は、同時通信用情報のページングであるかを判断する（ステップＳ８０９）。このページングが同時通信用情報でなければ（ステップＳ８０９：Ｎｏ）、着信用のページングであるとし着信の処理に移行する（ステップＳ８１０）。
【００８５】
一方、このページングが同時通信用情報の場合には（ステップＳ８０９：Ｙｅｓ）、端末１３０は、ページングによりすでに通信している他の端末（端末ｂ）１３０のＲＮＴＩを取得し、メモリ等に保持する（ステップＳ８１１）。次に、端末１３０は、他の端末１３０（端末ｂ）の情報（ＲＮＴＩ等）を元にコネクションを追加し（ステップＳ８１２）、Ｒａｄｉｏ  Ｂｅａｒｅｒ追加を基地局１００に通知する（ステップＳ８１４）。
【００８６】
そして、端末１３０は基地局１００からＲａｄｉｏ  Ｂｅａｒｅｒ確立完了の通知を受信する（ステップＳ８１４）。これにより、端末（端末ａ）１３０は、物理ＣＨ＝ａ、論理ＣＨ＝ｙを確立し、基地局１００と通信を行う。
【００８７】
以上の処理により、同時通信用情報のページングを受信した端末（端末ａ）１３０は、すでに通信開始している端末（端末ｂ）と、同一物理ＣＨに異なる論理ＣＨ（ＤＣＣＨ）にて同時通信することができる（図２Ｂ参照）。
【００８８】
図９は、実施の形態のＣＮ系装置の通信制御を示すフローチャートである。図１、図５に示したＣＮ系装置１５０の制御内容について説明する。例えば、ＣＮ系装置１５０のＣＰＵが以下の処理内容を実行する。
【００８９】
はじめに、ＣＮ系装置１５０は、同一ＳＩＭに同一のＴＭＳＩを払い出す（ステップＳ９０１）。次に、基地局１００からのＲＡＢ確立要求を待つ（ステップＳ９０２：Ｎｏのループ）。基地局１００からＲＡＢ確立要求があれば（ステップＳ９０２：Ｙｅｓ）、同一ＳＩＭの複数の端末１３０のデータについて、基地局１００と異なる論理ＣＨに設定する（ステップＳ９０３）。
【００９０】
この後、基地局１００にＲＡＢ確立完了を通知し（ステップＳ９０４）、ステップＳ９０２に戻る。以後、基地局１００からのＲＡＢ確立要求毎に、同一ＳＩＭの他の端末１３０のデータを異なる論理ＣＨに設定することで、ＣＮ系装置１５０は、基地局１００との間を異なる論理ＣＨを用いて複数の端末１３０のデータの同時通信を行う。
【００９１】
以上説明した実施の形態によれば、同一ＳＩＭが搭載された複数の端末を一つの物理ＣＨで端末毎に異なる論理ＣＨを用いて基地局と接続でき、複数の端末の同時通信が行えるようになる。例えば、２台の端末を所有する１人のユーザが１加入者の回線を用いて、論理ＣＨのみ異なり同時通信することができ、１端末契約の料金で２台の端末を使用できるようになる。そして、ユーザの複数の端末の通信を端末ごとに異なる論理チャネルを用い１本の物理チャネルにまとめることができ、リソースを有効に利用することができる。
【００９２】
具体的には、基地局は、同一ＳＩＭが搭載された複数の端末のうちはじめに通信接続した際の端末（第１端末）との間のＲＲＣ  Ｃｏｎｎｅｃｔｉｏｎ確立時の端末情報を、次に接続する端末（第２端末）に対し、ページング信号で送信する。ページング信号を受信した第２端末は、着信であるか、同一ＳＩＭの第１端末の同時接続用情報を含むページングであるかを判断し、同時接続用情報の場合に第１端末の情報を取得する。そして、第２端末は、通信時に第１端末の同時接続用情報を元に基地局との間で同一物理ＣＨで異なる論理ＣＨで接続を開始する。基地局は、第２端末からコネクション追加の要求に応じて、同一ＳＩＭの複数の端末を一つの物理ＣＨで端末毎に異なる論理ＣＨに割り当て、Ｒａｄｉｏ  Ｂｅａｒｅｒを確立する。
【００９３】
このように、端末は、ページングの内容に応じた制御を行うことで、着信あるいは他の端末との同時通信の制御を行えばよく、簡単な制御で同一ＳＩＭの他の端末とともに同時通信できるようになる。基地局は、同一ＳＩＭが搭載された第２端末に対して第１端末の情報を送信し、第２端末からコネクション追加の要求に応じて第２端末が第１端末と同一ＳＩＭであれば一つの物理ＣＨで端末毎に異なる論理ＣＨに割り当てる制御を行う。基地局は複数の同一ＳＩＭ端末との同時通信を行う。これにより、ユーザは、例えば、第１端末を音声用に第２端末をパケット用に使用して同時通信でき、この同時通信を１加入者の回線で行えるため、通信費用が増えることなくユーザの利便性を向上できるようになる。
【００９４】
なお、本実施の形態で説明した通信制御の方法は、例えば、予め用意された制御プログラムを対象機器（基地局、端末）等のコンピュータ（ＣＰＵ等のプロセッサ）で実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【００９５】
上述した実施の形態に関し、さらに以下の付記を開示する。
【００９６】
（付記１）他の端末と同一の加入者を特定するための識別番号を有する端末において、
基地局から受信したページング信号に前記他の端末の情報が含まれる場合、前記他の端末の情報に基づいて、前記基地局との間で前記他の端末と同一物理チャネルを用いた同時通信の接続を開始し、
前記基地局との間の通信確立により、前記他の端末と同一物理チャネルで、かつ、異なる論理チャネルを用いた同時通信を行う制御部を備えたことを特徴とする端末。
。
【００９７】
（付記２）前記制御部は、前記ページング信号が自端末への着信であるか、あるいは前記他の端末の情報を含むかを判断し、
前記他の端末の情報を含む場合、前記他の端末の情報に基づいて、同時通信の接続を開始し、
自端末への着信である場合、着信制御を行うことを特徴とする付記１に記載の端末。
【００９８】
（付記３）前記他の端末の情報は、前記基地局が前記他の端末と通信接続した際の前記他の端末の識別情報と、前記他の端末に割り当てる通信の割り当て情報とを含み、
前記制御部は、前記他の端末の情報に基づき、前記他の端末と同一物理チャネルによる同時通信の接続開始を前記基地局に要求する、ことを特徴とする付記２に記載の端末。
【００９９】
（付記４）端末との間で無線通信を行う基地局において、
同一の加入者を特定するための識別番号を有する複数の端末との通信について、
第１端末との通信接続時の情報を、ページング信号に含ませて第２端末に送信し、前記第２端末からの接続要求により、前記第１端末と前記第２端末とを、同一物理チャネルで、かつ、異なる論理チャネルを用いた同時通信の制御を行う制御部を備えたことを特徴とする基地局。
【０１００】
（付記５）前記制御部は、前記ページング信号に、前記第２端末への着信、あるいは同時通信可能な前記第１端末の情報を含み前記第２端末に送信することを特徴とする付記４に記載の基地局。
【０１０１】
（付記６）前記制御部は、前記ページング信号に、同時通信可能な前記第１端末の情報を含む場合、その旨の識別情報を付与することを特徴とする付記５に記載の基地局。
【０１０２】
（付記７）前記制御部は、コアネットワーク系装置との間で、前記複数の端末ごとに異なる論理チャネルを用いた通信を行うことを特徴とする付記４〜６のいずれか一つに記載の基地局。
【０１０３】
（付記８）前記制御部は、前記端末からの通信接続の要求時に、同一の加入者を特定するための識別番号を有する端末以外の端末を異なる物理チャネルで新規接続する、ことを特徴とする付記４〜７のいずれか一つに記載の基地局。
【０１０４】
（付記９）他の端末と同一の加入者を特定するための識別番号を有する複数の端末と、基地局と、を含む通信制御システムにおいて、
前記端末のうち所定の端末は、
前記基地局から受信したページング信号に前記他の端末の情報を含む場合、前記他の端末の情報に基づいて、前記基地局との間で前記他の端末と同一物理チャネルを用いた同時通信の接続を開始し、
前記基地局との間の通信確立により、前記他の端末と同一物理チャネルで、かつ、異なる論理チャネルを用いた同時通信を行う制御部を備え、
前記基地局は、
前記他の端末との通信接続時の情報を、ページング信号に含ませて前記端末に送信し、前記端末からの接続要求により、前記端末と前記他の端末とを、同一物理チャネルで、かつ、異なる論理チャネルを用いた同時通信の制御を行う制御部を備えた、
ことを特徴とする通信制御システム。
【０１０５】
（付記１０）さらに、前記基地局に通信接続されるコアネットワーク系装置を含み、
前記コアネットワーク系装置は、他の端末と同一の加入者を特定するための識別番号を有する複数の前記端末に対し同一の端末の識別子を送信し、
前記基地局と前記複数の端末との同時通信時には、前記基地局と前記コアネットワーク系装置との間は、前記端末毎に異なる論理チャネルを用いて通信を行うことを特徴とする付記９に記載の通信制御システム。
【０１０６】
（付記１１）他の端末と同一の加入者を特定するための識別番号を有する複数の端末と、基地局と、の間の同時通信を行う通信制御方法であって、
複数の端末のうち所定の端末は、
前記基地局から受信したページング信号に他の端末の情報を含む場合、前記他の端末の情報に基づいて、前記基地局との間で前記他の端末と同一物理チャネルを用いた同時通信の接続を開始し、
前記基地局との間の通信確立により、前記他の端末と同一物理チャネルで、かつ、異なる論理チャネルを用いた同時通信を行い、
前記基地局は、
前記他の端末との通信接続時の情報を、ページング信号に含ませて前記端末に送信し、前記端末からの接続要求により、前記端末と前記他の端末とを、同一物理チャネルで、かつ、異なる論理チャネルを用いた同時通信の制御を行う、
ことを特徴とする通信制御方法。
【０１０７】
（付記１２）前記端末は、前記ページング信号が自端末への着信であるか、あるいは前記他の端末の情報を含むかを判断し、
前記他の端末の情報を含む場合、前記他の端末の情報に基づいて、同時通信の接続を開始し、
自端末への着信である場合、着信制御を行うことを特徴とする付記１１に記載の通信制御方法。
【０１０８】
（付記１３）前記他の端末の情報は、前記基地局が前記他の端末と通信接続した際の前記他の端末の識別情報と、前記他の端末に割り当てる通信の割り当て情報とを含み、
前記端末は、前記他の端末の情報に基づき、前記他の端末と同一物理チャネルによる同時通信の接続開始を前記基地局に要求する、ことを特徴とする付記１１に記載の通信制御方法。
【０１０９】
（付記１４）前記基地局は、前記ページング信号に、前記他の端末への着信、あるいは同時通信可能な前記端末の情報を含み前記他の端末に送信することを特徴とする付記１１に記載の通信制御方法。
【符号の説明】
【０１１０】
１００  基地局
１３０  端末
１５０  ＣＮ系装置
３０１  制御部
３０２，４０４  ベースバンド信号処理部
３０３  送受信処理部
３０４  増幅部
３０５  アンテナ
３０６  表示部
４０１  制御部
４０２  無線送受信部
４０３  無線送受信インタフェース部
４０５  伝送路信号切替部
４０６  伝送路インタフェース部
４１１  同時通信制御部
４１２  データ管理部
【図１】
2018078455.tif 000003
【図２Ａ】
2018078455.tif 000004
【図２Ｂ】
2018078455.tif 000005
【図３】
2018078455.tif 000006
【図４】
2018078455.tif 000007
【図５】
2018078455.tif 000008
【図６Ａ】
2018078455.tif 000009
【図６Ｂ】
2018078455.tif 000010
【図７】
2018078455.tif 000011
【図８】
2018078455.tif 000012
【図９】
2018078455.tif 000013